(57)【特許請求の範囲】
【請求項１】
ユーザー操作に基づき、画像処理装置に対し原稿を読み取って読み取りデータを自装置へ送信するスキャンジョブを設定するジョブ設定手段と、
前記ジョブ設定手段による前記スキャンジョブの設定に際して、前記読み取りデータの第１のファイル形式をユーザーに選択させるファイル形式選択手段と、
前記読み取りデータをプレビュー表示エリアに表示可能な表示手段と、
前記ファイル形式選択手段により選択された前記第１のファイル形式が、前記読み取りデータの前記表示手段への表示が可能なファイル形式であるか否かを判定する表示可否判定手段と、
前記表示可否判定手段により、前記第１のファイル形式が前記表示手段への表示が不可能なファイル形式であると判定された場合には、読み取りデータの前記表示手段への表示が可能な第２のファイル形式であって、前記第１のファイル形式への変換が可能な第２のファイル形式が存在するか否か判断するファイル形式有無判断手段と、
前記表示可否判定手段により、前記第１のファイル形式が前記読み取りデータの前記表示手段への表示が可能なファイル形式であると判定された場合は、前記第１のファイル形式を前記スキャンジョブのファイル形式として設定し、前記表示可否判定手段により、前記第１のファイル形式が前記表示手段への表示が不可能なファイル形式であると判定された場合であって、前記ファイル形式有無判断手段により前記第２のファイル形式が存在すると判断された場合は、前記スキャンジョブのファイル形式を前記第１のファイル形式から前記第２のファイル形式に変更して設定し、前記表示可否判定手段により、前記第１のファイル形式が前記表示手段への表示が不可能なファイル形式であると判定された場合であって、前記ファイル形式有無判断手段により前記第２のファイル形式が存在しないと判断された場合は、前記第１のファイル形式を前記スキャンジョブのファイル形式としてそのまま設定するファイル形式設定手段と、
前記ファイル形式設定手段によるファイル形式の設定を含む前記スキャンジョブを画像処理装置に送信する送信手段と、
前記画像処理装置からジョブの実行結果として送信された前記読み取りデータを取得する取得手段と、
前記取得手段で取得された前記表示手段に表示可能なファイル形式の読み取りデータを、前記表示手段のプレビュー表示エリアに表示する表示制御手段と、
前記取得手段で取得された前記第２のファイル形式の読み取りデータを前記第１のファイル形式の読み取りデータに変換する変換手段と、
前記取得手段で取得された前記第１のファイル形式の読み取りデータ、または前記変換手段により第２のファイル形式から変換された第１のファイル形式の読み取りデータを保存する保存手段と、
を備えたことを特徴とする携帯端末装置。
【請求項２】
前記ファイル形式設定手段により、前記第２のファイル形式が存在しないためそのまま第１のファイル形式が設定されたときは、前記表示制御手段は、前記スキャンジョブの画像処理装置への送信前に、前記表示手段のプレビュー表示エリアに読み取りデータの表示ができない旨を表示する請求項１に記載の携帯端末装置。
【請求項３】
前記ファイル形式設定手段により、前記第２のファイル形式が存在しないためそのまま第１のファイル形式が設定されたときは、前記表示制御手段は、前記スキャンジョブの画像処理装置への送信前に、前記表示手段のプレビュー表示エリアをグレーアウト表示する請求項１に記載の携帯端末装置。
【請求項４】
前記ファイル形式設定手段により、前記第２のファイル形式が存在しないためそのまま第１のファイル形式が設定され、前記取得手段により前記第１のファイル形式の読み取りデータが取得されたときは、前記表示制御手段は、前記表示手段のプレビュー表示エリアに読み取りデータの取得が完了した旨を表示する請求項１に記載の携帯端末装置。
【請求項５】
前記ファイル形式設定手段により、前記第２のファイル形式が存在しないためそのまま第１のファイル形式が設定され、前記取得手段により前記第１のファイル形式の読み取りデータが取得されたときは、前記表示制御手段は、前記表示手段のプレビュー表示エリアに読み取りデータのアイコンを表示する請求項１に記載の携帯端末装置。
【請求項６】
前記第１のファイル形式が、前記表示手段への読み取りデータの表示が不可能なノーマルＰＤＦである場合、前記ファイル形式設定手段は前記第２のファイル形式としてＪＰＥＧを設定し、前記取得手段はＪＰＥＧ形式の読み取りデータを取得し、前記表示制御手段は、ＪＰＥＧ形式の読み取りデータを表示手段のプレビュー表示エリアに表示し、前記変換手段はＪＰＥＧ形式の読み取りデータを第１のファイル形式であるノーマルＰＤＦに変換する請求項１〜５のいずれかに記載の携帯端末装置。
【請求項７】
ユーザー操作に基づき、画像処理装置に対し原稿を読み取って読み取りデータを自装置へ送信するスキャンジョブを設定するジョブ設定ステップと、
前記ジョブ設定ステップにおけるジョブの設定に際して、前記読み取りデータの第１のファイル形式をユーザーに選択させるファイル形式選択ステップと、
前記ファイル形式選択ステップにおいて選択された前記第１のファイル形式が、前記読み取りデータの表示手段への表示が可能なファイル形式であるか否かを判定する表示可否判定ステップと、
前記表示可否判定ステップにおいて、前記第１のファイル形式が前記表示手段への表示が不可能なファイル形式であると判定された場合には、読み取りデータの前記表示手段への表示が可能な第２のファイル形式であって、前記第１のファイル形式への変換が可能な第２のファイル形式が存在するか否か判断するファイル形式有無判断ステップと、
前記表示可否判定ステップにおいて、前記第１のファイル形式が前記読み取りデータの前記表示手段への表示が可能なファイル形式であると判定された場合は、前記第１のファイル形式を前記スキャンジョブのファイル形式として設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在すると判断された場合は、前記スキャンジョブのファイル形式を前記第１のファイル形式から前記第２のファイル形式に変更して設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在しないと判断された場合は、前記第１のファイル形式を前記スキャンジョブのファイル形式としてそのまま設定するファイル形式設定ステップと、
前記ファイル形式設定ステップにおけるファイル形式の設定を含む前記スキャンジョブを画像処理装置に送信する送信ステップと、
前記画像処理装置からジョブの実行結果として送信された前記読み取りデータを取得する取得ステップと、
前記取得ステップにおいて取得された前記表示手段に表示可能なファイル形式の読み取りデータを、前記表示手段のプレビュー表示エリアに表示する表示制御ステップと、
前記取得ステップにおいて取得された前記第２のファイル形式の読み取りデータを前記第１のファイル形式の読み取りデータに変換する変換ステップと、
前記取得ステップにおいて取得された前記第１のファイル形式の読み取りデータ、または前記変換ステップにおいて第２のファイル形式から変換された第１のファイル形式の読み取りデータを保存手段に保存する保存ステップと、
を備えたことを特徴とする携帯端末装置における画像処理装置からの読み取りデータの取得方法。
【請求項８】
ユーザー操作に基づき、画像処理装置に対し原稿を読み取って読み取りデータを自装置へ送信するスキャンジョブを設定するジョブ設定ステップと、
前記ジョブ設定ステップにおけるジョブの設定に際して、前記読み取りデータの第１のファイル形式をユーザーに選択させるファイル形式選択ステップと、
前記ファイル形式選択ステップにおいて選択された前記第１のファイル形式が、前記読み取りデータの表示手段への表示が可能なファイル形式であるか否かを判定する表示可否判定ステップと、
前記表示可否判定ステップにおいて、前記第１のファイル形式が前記表示手段への表示が不可能なファイル形式であると判定された場合には、読み取りデータの前記表示手段への表示が可能な第２のファイル形式であって、前記第１のファイル形式への変換が可能な第２のファイル形式が存在するか否か判断するファイル形式有無判断ステップと、
前記表示可否判定ステップにおいて、前記第１のファイル形式が前記読み取りデータの前記表示手段への表示が可能なファイル形式であると判定された場合は、前記第１のファイル形式を前記スキャンジョブのファイル形式として設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在すると判断された場合は、前記スキャンジョブのファイル形式を前記第１のファイル形式から前記第２のファイル形式に変更して設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在しないと判断された場合は、前記第１のファイル形式を前記スキャンジョブのファイル形式としてそのまま設定するファイル形式設定ステップと、
前記ファイル形式設定ステップにおけるファイル形式の設定を含む前記スキャンジョブを画像処理装置に送信する送信ステップと、
前記画像処理装置からジョブの実行結果として送信された前記読み取りデータを取得する取得ステップと、
前記取得ステップにおいて取得された前記表示手段に表示可能なファイル形式の読み取りデータを、前記表示手段のプレビュー表示エリアに表示する表示制御ステップと、
前記取得ステップにおいて取得された前記第２のファイル形式の読み取りデータを前記第１のファイル形式の読み取りデータに変換する変換ステップと、
前記取得ステップにおいて取得された前記第１のファイル形式の読み取りデータ、または前記変換ステップにおいて第２のファイル形式から変換された第１のファイル形式の読み取りデータを保存手段に保存する保存ステップと、
を携帯端末装置のコンピュータに実行させるための画像処理装置からの読み取りデータの取得プログラム。
【請求項９】
前記ファイル形式設定ステップにおいて、前記第２のファイル形式が存在しないためそのまま第１のファイル形式が設定されたときは、前記表示制御ステップでは、前記スキャンジョブの画像処理装置への送信前に、前記表示手段のプレビュー表示エリアに読み取りデータの表示ができない旨を表示する処理を前記コンピュータに実行させる請求項８に記載の画像処理装置からの読み取りデータの取得プログラム。
【請求項１０】
前記ファイル形式設定ステップにおいて、前記第２のファイル形式が存在しないためそのまま第１のファイル形式が設定されたときは、前記表示制御ステップでは、前記スキャンジョブの画像処理装置への送信前に、前記表示手段のプレビュー表示エリアをグレーアウト表示する処理を前記コンピュータに実行させる請求項８に記載の画像処理装置からの読み取りデータの取得プログラム。
【請求項１１】
前記ファイル形式設定ステップにおいて、前記第２のファイル形式が存在しないためそのまま第１のファイル形式が設定され、前記取得ステップにおいて前記第１のファイル形式の読み取りデータが取得されたときは、前記表示制御ステップでは、前記表示手段のプレビュー表示エリアに読み取りデータの取得が完了した旨を表示する処理を前記コンピュータに実行させる請求項８に記載の画像処理装置からの読み取りデータの取得プログラム。
【請求項１２】
前記ファイル形式設定ステップにおいて、前記第２のファイル形式が存在しないためそのまま第１のファイル形式が設定され、前記取得ステップにおいて前記第１のファイル形式の読み取りデータが取得されたときは、前記表示制御ステップでは、前記表示手段のプレビュー表示エリアに読み取りデータのアイコンを表示する処理を前記コンピュータに実行させる請求項８に記載の画像処理装置からの読み取りデータの取得プログラム。
【請求項１３】
前記第１のファイル形式が、前記表示手段への読み取りデータの表示が不可能なノーマルＰＤＦである場合、前記ファイル形式設定ステップでは前記第２のファイル形式としてＪＰＥＧを設定し、前記取得ステップではＪＰＥＧ形式の読み取りデータを取得し、前記表示制御ステップでは、ＪＰＥＧ形式の読み取りデータを表示手段のプレビュー表示エリアに表示し、前記変換ステップではＪＰＥＧ形式の読み取りデータを第１のファイル形式であるノーマルＰＤＦに変換する処理を前記コンピュータに実行させる請求項８〜１２のいずれかに記載の画像処理装置からの読み取りデータの取得プログラム。
【発明の詳細な説明】
【技術分野】
【０００１】
この発明は、スマートフォン、タブレット端末等の携帯端末装置、同装置で実行される画像処理装置からの読み取りデータの取得方法及び取得プログラムに関する。
【背景技術】
【０００２】
近年、携帯端末装置に画像処理装置操作用アプリケーションを搭載し、携帯端末装置から画像処理装置に、原稿を読み取って読み取りデータを自装置へ送信するスキャンジョブを指示できる携帯端末装置が提供されている。
【０００３】
一方、画像処理装置は、高機能化により様々なファイル形式で読み取りを行うことができるようになっている。例えば、ＰＤＦ（Portable Document Format）形式であっても、用途に応じて種々の設定が可能となっており、ＪＰＥＧや通常のＰＤＦ（ノーマルＰＤＦ）の他、コンパクトＰＤＦ、暗号化ＰＤＦ、サーチャブルＰＤＦの選択が可能となっている。
【０００４】
携帯端末装置から画像処理装置にスキャンジョブを指示する場合も、種々のファイル形式の設定が可能であり、これらのファイル形式で取得した読み取りデータを保存できるようになっていることが多い。
【０００５】
しかし、種々のファイル形式で取得した読み取りデータを表示する場合は、各ファイル設定に対応したソフトウェアライブラリを組み込む必要があり、ソフトウェアが肥大化し、携帯端末装置のリソースを消費してしまうという問題がある。
【０００６】
そこで、特許文献１には、携帯端末側で表示不可能なファイル形式の表示を行うために、ファイル内に複数の画像形式を含めたファイルを画像処理装置から携帯端末装置に送信し、携帯端末装置側ではその複数の画像形式の中から表示可能な画像形式を選択して読み取りデータの表示を行う技術が提案されている。
【先行技術文献】
【特許文献】
【０００７】
【特許文献１】特開２００８−３１２０１８号公報
【発明の概要】
【発明が解決しようとする課題】
【０００８】
しかし、特許文献１に記載された技術のように、ファイル内に複数の画像形式を含めたファイルを画像処理装置から取得する場合は、画像処理装置側の処理負荷が大きくなると共に、ファイルサイズも大きくなるため、携帯端末側の処理負荷も大きくなるという問題がある。
【０００９】
この発明は、このような技術的背景に鑑みてなされたものであって、画像処理装置に、原稿を読み取って読み取りデータを自装置へ送信するスキャンジョブを指示する際に、読み取りデータの種々のファイル形式を設定できるとともに、最小限のリソースを活用することにより、取得した読み取りデータの表示機会を増やすことができる携帯端末装置及び画像処理装置からの読み取りデータの取得方法を提供し、さらには前記携帯端末装置のコンピュータに画像処理装置からの読み取りデータの取得処理を実行させるためのプログラムを提供することを課題とする。
【課題を解決するための手段】
【００１０】
上記課題は、以下の手段によって解決される。
（１）ユーザー操作に基づき、画像処理装置に対し原稿を読み取って読み取りデータを自装置へ送信するスキャンジョブを設定するジョブ設定手段と、前記ジョブ設定手段による前記スキャンジョブの設定に際して、前記読み取りデータの第１のファイル形式をユーザーに選択させるファイル形式選択手段と、前記読み取りデータをプレビュー表示エリアに表示可能な表示手段と、前記ファイル形式選択手段により選択された前記第１のファイル形式が、前記読み取りデータの前記表示手段への表示が可能なファイル形式であるか否かを判定する表示可否判定手段と、前記表示可否判定手段により、前記第１のファイル形式が前記表示手段への表示が不可能なファイル形式であると判定された場合には、読み取りデータの前記表示手段への表示が可能な第２のファイル形式であって、前記第１のファイル形式への変換が可能な第２のファイル形式が存在するか否か判断するファイル形式有無判断手段と、前記表示可否判定手段により、前記第１のファイル形式が前記読み取りデータの前記表示手段への表示が可能なファイル形式であると判定された場合は、前記第１のファイル形式を前記スキャンジョブのファイル形式として設定し、前記表示可否判定手段により、前記第１のファイル形式が前記表示手段への表示が不可能なファイル形式であると判定された場合であって、前記ファイル形式有無判断手段により前記第２のファイル形式が存在すると判断された場合は、前記スキャンジョブのファイル形式を前記第１のファイル形式から前記第２のファイル形式に変更して設定し、前記表示可否判定手段により、前記第１のファイル形式が前記表示手段への表示が不可能なファイル形式であると判定された場合であって、前記ファイル形式有無判断手段により前記第２のファイル形式が存在しないと判断された場合は、前記第１のファイル形式を前記スキャンジョブのファイル形式としてそのまま設定するファイル形式設定手段と、前記ファイル形式設定手段によるファイル形式の設定を含む前記スキャンジョブを画像処理装置に送信する送信手段と、前記画像処理装置からジョブの実行結果として送信された前記読み取りデータを取得する取得手段と、前記取得手段で取得された前記表示手段に表示可能なファイル形式の読み取りデータを、前記表示手段のプレビュー表示エリアに表示する表示制御手段と、前記取得手段で取得された前記第２のファイル形式の読み取りデータを前記第１のファイル形式の読み取りデータに変換する変換手段と、前記取得手段で取得された前記第１のファイル形式の読み取りデータ、または前記変換手段により第２のファイル形式から変換された第１のファイル形式の読み取りデータを保存する保存手段と、を備えたことを特徴とする携帯端末装置。
（２）前記ファイル形式設定手段により、前記第２のファイル形式が存在しないためそのまま第１のファイル形式が設定されたときは、前記表示制御手段は、前記スキャンジョブの画像処理装置への送信前に、前記表示手段のプレビュー表示エリアに読み取りデータの表示ができない旨を表示する前項１に記載の携帯端末装置。
（３）前記ファイル形式設定手段により、前記第２のファイル形式が存在しないためそのまま第１のファイル形式が設定されたときは、前記表示制御手段は、前記スキャンジョブの画像処理装置への送信前に、前記表示手段のプレビュー表示エリアをグレーアウト表示する前項１に記載の携帯端末装置。
（４）前記ファイル形式設定手段により、前記第２のファイル形式が存在しないためそのまま第１のファイル形式が設定され、前記取得手段により前記第１のファイル形式の読み取りデータが取得されたときは、前記表示制御手段は、前記表示手段のプレビュー表示エリアに読み取りデータの取得が完了した旨を表示する前項１に記載の携帯端末装置。
（５）前記ファイル形式設定手段により、前記第２のファイル形式が存在しないためそのまま第１のファイル形式が設定され、前記取得手段により前記第１のファイル形式の読み取りデータが取得されたときは、前記表示制御手段は、前記表示手段のプレビュー表示エリアに読み取りデータのアイコンを表示する前項１に記載の携帯端末装置。
（６）前記第１のファイル形式が、前記表示手段への読み取りデータの表示が不可能なノーマルＰＤＦである場合、前記ファイル形式設定手段は前記第２のファイル形式としてＪＰＥＧを設定し、前記取得手段はＪＰＥＧ形式の読み取りデータを取得し、前記表示制御手段は、ＪＰＥＧ形式の読み取りデータを表示手段のプレビュー表示エリアに表示し、前記変換手段はＪＰＥＧ形式の読み取りデータを第１のファイル形式であるノーマルＰＤＦに変換する前項１〜５のいずれかに記載の携帯端末装置。
（７）ユーザー操作に基づき、画像処理装置に対し原稿を読み取って読み取りデータを自装置へ送信するスキャンジョブを設定するジョブ設定ステップと、前記ジョブ設定ステップにおけるジョブの設定に際して、前記読み取りデータの第１のファイル形式をユーザーに選択させるファイル形式選択ステップと、前記ファイル形式選択ステップにおいて選択された前記第１のファイル形式が、前記読み取りデータの表示手段への表示が可能なファイル形式であるか否かを判定する表示可否判定ステップと、前記表示可否判定ステップにおいて、前記第１のファイル形式が前記表示手段への表示が不可能なファイル形式であると判定された場合には、読み取りデータの前記表示手段への表示が可能な第２のファイル形式であって、前記第１のファイル形式への変換が可能な第２のファイル形式が存在するか否か判断するファイル形式有無判断ステップと、前記表示可否判定ステップにおいて、前記第１のファイル形式が前記読み取りデータの前記表示手段への表示が可能なファイル形式であると判定された場合は、前記第１のファイル形式を前記スキャンジョブのファイル形式として設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在すると判断された場合は、前記スキャンジョブのファイル形式を前記第１のファイル形式から前記第２のファイル形式に変更して設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在しないと判断された場合は、前記第１のファイル形式を前記スキャンジョブのファイル形式としてそのまま設定するファイル形式設定ステップと、前記ファイル形式設定ステップにおけるファイル形式の設定を含む前記スキャンジョブを画像処理装置に送信する送信ステップと、前記画像処理装置からジョブの実行結果として送信された前記読み取りデータを取得する取得ステップと、前記取得ステップにおいて取得された前記表示手段に表示可能なファイル形式の読み取りデータを、前記表示手段のプレビュー表示エリアに表示する表示制御ステップと、前記取得ステップにおいて取得された前記第２のファイル形式の読み取りデータを前記第１のファイル形式の読み取りデータに変換する変換ステップと、前記取得ステップにおいて取得された前記第１のファイル形式の読み取りデータ、または前記変換ステップにおいて第２のファイル形式から変換された第１のファイル形式の読み取りデータを保存手段に保存する保存ステップと、を備えたことを特徴とする携帯端末装置における画像処理装置からの読み取りデータの取得方法。
（８）ユーザー操作に基づき、画像処理装置に対し原稿を読み取って読み取りデータを自装置へ送信するスキャンジョブを設定するジョブ設定ステップと、前記ジョブ設定ステップにおけるジョブの設定に際して、前記読み取りデータの第１のファイル形式をユーザーに選択させるファイル形式選択ステップと、前記ファイル形式選択ステップにおいて選択された前記第１のファイル形式が、前記読み取りデータの表示手段への表示が可能なファイル形式であるか否かを判定する表示可否判定ステップと、前記表示可否判定ステップにおいて、前記第１のファイル形式が前記表示手段への表示が不可能なファイル形式であると判定された場合には、読み取りデータの前記表示手段への表示が可能な第２のファイル形式であって、前記第１のファイル形式への変換が可能な第２のファイル形式が存在するか否か判断するファイル形式有無判断ステップと、前記表示可否判定ステップにおいて、前記第１のファイル形式が前記読み取りデータの前記表示手段への表示が可能なファイル形式であると判定された場合は、前記第１のファイル形式を前記スキャンジョブのファイル形式として設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在すると判断された場合は、前記スキャンジョブのファイル形式を前記第１のファイル形式から前記第２のファイル形式に変更して設定し、前記表示可否判定ステップにおいて、前記第１のファイル形式が前記表示手段への表示が不可能なファイル形式であると判定された場合であって、前記ファイル形式有無判断ステップにおいて前記第２のファイル形式が存在しないと判断された場合は、前記第１のファイル形式を前記スキャンジョブのファイル形式としてそのまま設定するファイル形式設定ステップと、前記ファイル形式設定ステップにおけるファイル形式の設定を含む前記スキャンジョブを画像処理装置に送信する送信ステップと、前記画像処理装置からジョブの実行結果として送信された前記読み取りデータを取得する取得ステップと、前記取得ステップにおいて取得された前記表示手段に表示可能なファイル形式の読み取りデータを、前記表示手段のプレビュー表示エリアに表示する表示制御ステップと、前記取得ステップにおいて取得された前記第２のファイル形式の読み取りデータを前記第１のファイル形式の読み取りデータに変換する変換ステップと、前記取得ステップにおいて取得された前記第１のファイル形式の読み取りデータ、または前記変換ステップにおいて第２のファイル形式から変換された第１のファイル形式の読み取りデータを保存手段に保存する保存ステップと、を携帯端末装置のコンピュータに実行させるための画像処理装置からの読み取りデータの取得プログラム。
（９）前記ファイル形式設定ステップにおいて、前記第２のファイル形式が存在しないためそのまま第１のファイル形式が設定されたときは、前記表示制御ステップでは、前記スキャンジョブの画像処理装置への送信前に、前記表示手段のプレビュー表示エリアに読み取りデータの表示ができない旨を表示する処理を前記コンピュータに実行させる前項８に記載の画像処理装置からの読み取りデータの取得プログラム。
（１０）前記ファイル形式設定ステップにおいて、前記第２のファイル形式が存在しないためそのまま第１のファイル形式が設定されたときは、前記表示制御ステップでは、前記スキャンジョブの画像処理装置への送信前に、前記表示手段のプレビュー表示エリアをグレーアウト表示する処理を前記コンピュータに実行させる前項８に記載の画像処理装置からの読み取りデータの取得プログラム。
（１１）前記ファイル形式設定ステップにおいて、前記第２のファイル形式が存在しないためそのまま第１のファイル形式が設定され、前記取得ステップにおいて前記第１のファイル形式の読み取りデータが取得されたときは、前記表示制御ステップでは、前記表示手段のプレビュー表示エリアに読み取りデータの取得が完了した旨を表示する処理を前記コンピュータに実行させる前項８に記載の画像処理装置からの読み取りデータの取得プログラム。
（１２）前記ファイル形式設定ステップにおいて、前記第２のファイル形式が存在しないためそのまま第１のファイル形式が設定され、前記取得ステップにおいて前記第１のファイル形式の読み取りデータが取得されたときは、前記表示制御ステップでは、前記表示手段のプレビュー表示エリアに読み取りデータのアイコンを表示する処理を前記コンピュータに実行させる前項８に記載の画像処理装置からの読み取りデータの取得プログラム。
（１３）前記第１のファイル形式が、前記表示手段への読み取りデータの表示が不可能なノーマルＰＤＦである場合、前記ファイル形式設定ステップでは前記第２のファイル形式としてＪＰＥＧを設定し、前記取得ステップではＪＰＥＧ形式の読み取りデータを取得し、前記表示制御ステップでは、ＪＰＥＧ形式の読み取りデータを表示手段のプレビュー表示エリアに表示し、前記変換ステップではＪＰＥＧ形式の読み取りデータを第１のファイル形式であるノーマルＰＤＦに変換する処理を前記コンピュータに実行させる前項８〜１２のいずれかに記載の画像処理装置からの読み取りデータの取得プログラム。
【発明の効果】
【００１１】
前項（１）に記載の発明によれば、ユーザー操作に基づいて選択された前記第１のファイル形式が、読み取りデータの表示手段への表示が可能なファイル形式であるか否かが判定され、不可能なファイル形式であると判定された場合には、読み取りデータの表示が可能な第２のファイル形式であって、前記第１のファイル形式への変換が可能な第２のファイル形式が存在するか否かが判断される。第１のファイル形式が読み取りデータの表示が可能なファイル形式であると判定された場合は、第１のファイル形式がスキャンジョブのファイル形式として設定され、第２のファイル形式が存在すると判断された場合は、スキャンジョブのファイル形式として第１のファイル形式から第２のファイル形式に変更して設定され、第２のファイル形式が存在しないと判断された場合は、第１のファイル形式がスキャンジョブのファイル形式としてそのまま設定される。そして、設定されたファイル形式で読み取りデータが取得され、表示可能なファイル形式の読み取りデータは表示手段のプレビュー表示エリアに表示される。また、第２のファイル形式の読み取りデータは第１のファイル形式の読み取りデータに変換されて、保存手段に保存され、第１のファイル形式の読み取りデータはそのまま保存手段に保存される。
【００１２】
つまり、ユーザー操作に基づいて選択された第１のファイル形式が、読み取りデータの表示が不可能なファイル形式であっても、読み取りデータの表示が可能でかつ第１のファイルへの変換が可能な第２のファイル形式が存在する場合は、画像処理装置に対するスキャンジョブのファイル形式としてその第２のファイル形式が設定されるとともに、取得した第２のファイル形式の読み取りデータが表示手段に表示される。換言すれば、読み取りデータの表示が不可能なファイル形式が選択されても、従来では不可能であった読み取りデータの表示が可能となり、その分表示機会を増やすことができる。しかも、各ファイル設定に対応したソフトウェアライブラリを組み込む必要はないから、携帯端末装置内のリソースを有効に活用しつつ、表示機会を増やすことができる。また、保存手段に保存する場合は第１のファイルに変換して保存されるから、ユーザーの意図したとおりのファイル形式での保存が可能となる。
【００１３】
前項（２）に記載の発明によれば、第２のファイル形式が存在しないためそのまま第１のファイル形式が設定されたときは、スキャンジョブの画像処理装置への送信前に、表示手段のプレビュー表示エリアに読み取りデータの表示ができない旨が表示されるから、ユーザーはそのことを認識できる。
【００１４】
前項（３）に記載の発明によれば、第２のファイル形式が存在しないためそのまま第１のファイル形式が設定されたときは、スキャンジョブの画像処理装置への送信前に、表示手段のプレビュー表示エリアがグレーダウン表示されるから、ユーザーはそのことを認識できる。
【００１５】
前項（４）に記載の発明によれば、第２のファイル形式が存在しないためそのまま第１のファイル形式が設定され、第１のファイル形式で読み取りデータが取得されたときは、表示手段のプレビュー表示エリアに読み取りデータの取得が完了した旨が表示されるから、ユーザーはそのことを認識できる。
【００１６】
前項（５）に記載の発明によれば、第２のファイル形式が存在しないためそのまま第１のファイル形式が設定され、第１のファイル形式で読み取りデータが取得されたときは、表示手段のプレビュー表示エリアに読み取りデータのアイコンが表示されるから、ユーザーはそのことを認識できる。
【００１７】
前項（６）に記載の発明によれば、第１のファイル形式が、表示手段への読み取りデータの表示が不可能なノーマルＰＤＦである場合はＪＰＥＧ形式で読み取りデータが取得されるとともに、ＪＰＥＧ形式の読み取りデータが表示手段のプレビュー表示エリアに表示される一方、保存手段に保存される際は、ＪＰＥＧ形式の読み取りデータが第１のファイル形式であるノーマルＰＤＦに変換される。
【００１８】
前項（７）に記載の発明によれば、読み取りデータの表示が不可能なファイル形式が選択されても、従来では不可能であった読み取りデータの表示が可能となり、その分表示機会を増やすことができる。しかも、各ファイル設定に対応したソフトウェアライブラリを組み込む必要はないから、携帯端末装置内のリソースを有効に活用しつつ、表示機会を増やすことができる。また、保存手段に保存する場合は第１のファイルに変換して保存されるから、ユーザーの意図したとおりのファイル形式での保存が可能となる。
【００１９】
前項（８）に記載の発明によれば、読み取りデータの表示が不可能なファイル形式が選択されても、従来では不可能であった読み取りデータの表示が可能となり、その分表示機会を増やすことができる処理を、携帯端末装置のコンピュータに実行させることができる。
【００２０】
前項（９）に記載の発明によれば、第２のファイル形式が存在しないためそのまま第１のファイル形式が設定されたときは、スキャンジョブの画像処理装置への送信前に、表示手段のプレビュー表示エリアに読み取りデータの表示ができない旨を表示する処理を、携帯端末装置のコンピュータに実行させることができる。
【００２１】
前項（１０）に記載の発明によれば、第２のファイル形式が存在しないためそのまま第１のファイル形式が設定されたときは、スキャンジョブの画像処理装置への送信前に、表示手段のプレビュー表示エリアをグレーダウン表示す処理を、携帯端末装置のコンピュータに実行させることができる。
【００２２】
前項（１１）に記載の発明によれば、第２のファイル形式が存在しないためそのまま第１のファイル形式が設定され、第１のファイル形式で読み取りデータが取得されたときは、表示手段のプレビュー表示エリアに読み取りデータの取得が完了した旨を表示する処理を、携帯端末装置のコンピュータに実行させることができる。
【００２３】
前項（１２）に記載の発明によれば、第２のファイル形式が存在しないためそのまま第１のファイル形式が設定され、第１のファイル形式で読み取りデータが取得されたときは、表示手段のプレビュー表示エリアに読み取りデータのアイコンを表示する処理を、携帯端末装置のコンピュータに実行させることができる。
【００２４】
前項（１３）に記載の発明によれば、第１のファイル形式が、表示手段への読み取りデータの表示が不可能なノーマルＰＤＦである場合はＪＰＥＧ形式で読み取りデータを取得し、ＪＰＥＧ形式の読み取りデータを表示手段のプレビュー表示エリアに表示し、保存手段に保存する際は、ＪＰＥＧ形式の読み取りデータを第１のファイル形式であるノーマルＰＤＦに変換する処理を、携帯端末装置のコンピュータに実行させることができる。
【図面の簡単な説明】
【００２５】
【図１】この発明の一実施形態に係る携帯端末装置と画像処理装置を備えたジョブ処理システムの構成図である。
【図２】携帯端末装置の電気的な構成を示すブロック図である。
【図３】スキャンジョブの設定画面を示す図である。
【図４】各ファイル形式のデータを携帯端末装置に表示可能か否かや、他のファイル形式からの変換が可能か否かのデータを示す表である。
【図５】画像処理装置から取得した読み取りデータの表示画面の一例を示す図である。
【図６】表示不可能なファイル形式が選択された場合の表示画面の一例を示す図である。
【図７】表示不可能なファイル形式が選択された場合の表示画面の他の例を示す図である。
【図８】表示不可能なファイル形式の読み取りデータを取得したときの表示画面の一例を示す図である。
【図９】表示不可能なファイル形式の読み取りデータを取得したときの表示画面の他の例を示す図である。
【図１０】携帯端末装置の動作を示すフローチャートである。
【発明を実施するための形態】
【００２６】
以下、この発明の実施形態を図面に基づいて説明する。
【００２７】
図１は、この発明の一実施形態に係る携帯端末装置と画像処理装置を備えたジョブ処理システムの構成図である。
【００２８】
このシステムは、スマートフォンやタブレット端末等からなる携帯端末装置１と、１台または複数台の画像処理装置２と、ウェブサーバ３とパーソナルコンピュータ４等を備え、これらが有線あるいは無線によるネットワーク５を介して相互に接続されている。
【００２９】
この実施形態では、前記画像処理装置２として、コピー機能、プリンタ機能、ファクシミリ機能、スキャン機能等の複数の機能を複合した多機能デジタル画像形成装置であるＭＦＰ（Multi Function Peripherals）が用いられている。以下の説明では、画像処理装置をＭＦＰと記すこともある。
【００３０】
図２は、前記携帯端末装置１の電気的な構成を示すブロック図である。
【００３１】
携帯端末装置１は、ＣＰＵ１１と、ＲＯＭ１２と、ＲＡＭ１３と、記憶部１４と、表示部１５と、タッチパネル１６と、通信インターフェース（通信ＩＦ）１７と、撮像部１８等を備えている。
【００３２】
前記ＣＰＵ１１は、搭載されているＯＳ、各種のデータ処理用のアプリケーション、ＭＦＰ２を操作するためのアプリケーション等に基づいて、携帯端末装置１の全体を統括的に制御するが、具体的な制御内容については後述する。
【００３３】
前記ＲＯＭ１２は、前記ＣＰＵ１１の動作プログラム等が格納されているメモリであり、ＲＡＭ１３は、前記ＣＰＵ１１が動作プログラムを実行する際の作業領域を提供するメモリである。
【００３４】
前記記憶部１４は、前記ＯＳ、アプリケーション、その他のデータを保存するメモリである。
【００３５】
表示部１５は、ユーザーの操作やメッセージの表示等に使用されるものであり、液晶等により構成されている。また、タッチパネル１６は表示部１５の画面上に設けられ、ユーザーのタッチ操作を検出して、タッチされた座標等を特定するものである。
【００３６】
前記通信インターフェース１７は、電話回線を通じて通話を行ったり、アクセスポイントを介して無線通信によりＭＦＰ２、ウェブサーバ３等とデータの送受を行うためのものである。
【００３７】
前記撮像部１８は、各種の被写体を撮影するものであり、図示しない撮影カメラを備えている。
【００３８】
次に、携帯端末装置１の動作を説明する。
【００３９】
携帯端末装置１には、ＭＦＰ２において原稿を読み取って読み取りデータを自装置へ送信するスキャンジョブを設定し、ＭＦＰ２に発行できるアプリケーションが既にインストールされている。
【００４０】
ユーザーは前記アプリケーションを開き、図３に示すようなスキャンジョブの設定画面を表示部１５に表示する。この実施形態では、スキャンジョブの設定として、ＭＦＰが作成する読み取りデータのファイル形式１５２の設定、カラーモード１５３の設定、解像度１５４の設定等を行うことができるようになっている。また、ファイル形式として、この実施形態では、ＪＰＥＧ（Joint Photographic Experts Group）、ＰＤＦの各形式を選択可能となされている。また、ＰＤＦを選択した場合、さらにコンパクトＰＤＦ、暗号化ＰＤＦ、サーチャブルＰＤＦのいずれかを選択できるようになっている。ＰＤＦを選択し、コンパクトＰＤＦ、暗号化ＰＤＦ、サーチャブルＰＤＦのいずれをも選択しなかった場合は、ノーマルＰＤＦが設定される。
【００４１】
さらに、スキャンジョブの設定画面には、実行ボタン１５５とキャンセルボタン１５６が表示されている。実行ボタン１５５は、設定されたスキャンジョブをＭＦＰ２に発行送信するものであり、キャンセルボタン１５６はスキャンジョブの設定を終了する際に押下されるボタンである。また、ジョブ設定画面の左側部分には、ＭＦＰ２から取得した読み取りデータが表示されるプレビュー表示エリア１５１が形成されている。
【００４２】
この実施形態では、ＭＦＰ２から取得される読み取りデータを表示部１５に表示可能なファイル形式と不可能なファイル形式が混在している。即ち、図４の表に示すように、ＪＰＥＧ形式の読み取りデータは表示部１５への表示が可能であり、それ以外のノーマルＰＤＦ、コンパクトＰＤＦ、暗号化ＰＤＦ、サーチャブルＰＤＦの各形式のデータについては、表示部１５への表示ができない構成となっている。
【００４３】
また、ノーマルＰＤＦ形式のデータについては、ＪＰＥＧ形式のデータからの変換が可能であるが、他のファイル形式のデータについては、いずれのファイル形式のデータからも変更は不可能となっている。
【００４４】
そこでこの実施形態では、スキャンジョブのファイル形式としてノーマルＰＤＦが選択された場合は、ＭＦＰ２から取得した読み取りデータを表示部１５に表示でき、かつ選択されたノーマルＰＤＦへの変換も可能であるＪＰＥＧ形式に変換して、このＪＰＥＧ形式をＭＦＰ２に対するスキャンジョブのファイル形式として設定する。
【００４５】
つまり、図３のスキャンジョブ設定画面においてファイル形式としてノーマルＰＤＦが選択され、実行ボタン１５５が押下されると、携帯端末装置１は選択されたノーマルＰＤＦをＪＰＥＧ形式に変更しスキャンジョブのファイル形式として設定し、この設定を含むスキャンジョブをＭＦＰ２に送信する。
【００４６】
ＭＦＰ２は携帯端末装置１から送信されたスキャンジョブを受信して、原稿の読み取りを行い設定されたＪＰＥＧ形式の読み取りデータを作成し、携帯端末装置１に送信する。
【００４７】
携帯端末装置１は、ＭＦＰ２から読み取りデータを取得する。この読み取りデータはＪＥＧ形式であり表示部１５に表示可能であるから、携帯端末装置１は図５に示すように、表示部１５のプレビュー表示エリア１５１に、取得した読み取りデータを表示する。
【００４８】
さらに、図５に示す画面には、保存ボタン１５７と削除ボタン１５８が表示されている。保存ボタン１５７が押下されると、携帯端末装置１はＪＰＥＧ形式の読み取りデータを選択された当初のファイル形式であるノーマルＰＤＦ形式のデータに変換した上で、記憶部１４等に保存する。削除ボタン１５８が押下されると、取得した読み取りデータは削除される。
【００４９】
このように、ファイル形式としてノーマルＰＤＦ形式が選択された場合に、従来では表示部１５に表示できなかった読み取りデータを、ＪＰＥＧ形式の設定に変更することで、表示部１５に表示できるようになるから、その分、読み取りデータの表示機会を増加でき、操作性の良いものとなる。しかも、ノーマルＰＤＦ形式のデータを表示させるための高価なライブラリは不要であり、ＪＰＥＧ形式のデータの表示機能とＪＰＥＧ形式のデータをノーマルＰＤＦ形式のデータに変換する機能を備えていればよいから、携帯端末装置１の最小限のリソースを活用しながら、読み取りデータの表示機会を増加できる。しかもまた、読み取りデータを保存する際には、ＪＰＥＧ形式の読み取りデータがノーマルＰＤＦ形式のデータに変換されて保存されるから、ユーザーの意図通りのファイル形式のデータを保存できる。
【００５０】
一方、図３のスキャンジョブ設定においてファイル形式としてコンパクトＰＤＦ、暗号化ＰＤＦ、サーチャブルＰＤＦのいずれかが選択されると、コンパクトＰＤＦ、暗号化ＰＤＦ、サーチャブルＰＤＦに変換可能で表示部１５にデータを表示可能な他のファイル形式は、この実施形態では存在していない。このため図６に示すように、表示部１５のプレビュー表示エリア１５１に「プレビュー不可」のメッセージ１６０が表示される。なお、図７のハッチングで示すように、表示部１５のプレビュー表示エリア１５１をグレーアウト表示にしても良い。このような「プレビュー不可」のメッセージ１６０を表示したり、グレーアウト表示することにより、ユーザーは選択したファイル形式では読み取りデータの表示が行われないことを認識することができる。
【００５１】
また、ファイル形式としてコンパクトＰＤＦ、暗号化ＰＤＦ、サーチャブルＰＤＦのいずれかが選択された場合、携帯端末装置１は、選択されたファイル形式をそのままスキャンジョブのファイル形式として設定する。この場合、ＭＦＰ２から取得した読み取りデータを表示部１５に表示することができない。そこで、この実施形態では、読み取りデータの取得が完了すると、図８に示すように、表示部１５のプレビュー表示エリア１５１に「ファイルの取得が完了しました」というメッセージ１７０が表示される。また、図９に示すように、読み取りデータを示すファイルアイコン１８０を表示しても良い。
【００５２】
このように、メッセージ１７０やアイコン１８０を表示することにより、ユーザーは読み取りデータの取得が完了したことを認識することができる。
【００５３】
また、図８及び図９の画面には、保存ボタン１５７と削除ボタン１５８が表示されている。保存ボタン１５７が押下されると、携帯端末装置１は取得した読み取りデータをファイル形式を変換することなくそのまま記憶部１４等に保存する。削除ボタン１５８が押下されると、取得した読み取りデータは削除される。
【００５４】
図１０は、携帯端末装置１の動作を示すフローチャートである。この動作は、携帯端末装置１のＣＰＵ１１が記憶部１４等に保存されたアプリケーション等に従って動作することにより実行される。
【００５５】
ステップＳ０１では、スキャンジョブに対するユーザー設定を受け付け、ステップＳ０２で、ファイル形式（第１のファイル形式）が選択されたかどうかを判断する。選択されなければ（ステップＳ０２でＮＯ）、ステップＳ０１に戻る。選択されると（ステップＳ０２でＹＥＳ）、ステップＳ０３で、選択された第１のファイル形式の読み取りデータを表示部１５に表示可能か否かを判定する。
【００５６】
可能な場合（ステップＳ０３でＹＥＳ）、ステップＳ０６に進み、第１のファイル形式をスキャンジョブにおけるファイル形式として設定したのち、ステップＳ０８に進む。表示部１５に表示不可能な場合（ステップＳ０３でＮＯ）、ステップＳ０４で、表示部１５に表示可能でかつ前記選択された第１のファイル形式のデータに変更可能な第２のファイル形式が存在するか否かを判断する。
【００５７】
第２のファイル形式が存在すれば（ステップＳ０４でＹＥＳ）、ステップＳ０７で、スキャンジョブにおけるファイル形式として、選択された第１のファイル形式を変更して第２のファイル形式を設定したのち、ステップＳ０８に進む。この場合、スキャンジョブを識別する情報と、ユーザーが指示した第１のファイル形式と、変更された第２のファイル形式とが関連付けられて、携帯端末装置１のＲＡＭ１３等の記憶手段に保存される。
【００５８】
第２のファイル形式が存在しない場合（ステップＳ０４でＮＯ）、ステップＳ０５で、表示部１５のプレビュー表示エリア１５１に「プレビュー不可」のメッセージ１６０を表示するか、またはプレビュー表示エリア１５１をグレーアウト表示したのち、ステップＳ０６で、スキャンジョブにおけるファイル形式として、選択された第１のファイル形式をそのまま設定したのち、ステップＳ０８に進む。
【００５９】
ステップＳ０８では、実行ボタン１５５が押下されたかどうかを判断する。実行ボタンが押下されなければ（ステップＳ０８でＮＯ）、ステップＳ０９で、キャンセルボタン１５６が押下されたかどうかを判断し、キャンセルボタン１５６が押下されなければ（ステップＳ０９でＮＯ）、ステップＳ０８に戻る。キャンセルボタン１５６が押下されると（ステップＳ０９でＹＥＳ）、処理を終了する。
【００６０】
ステップＳ０８で、実行ボタン１５５が押下されると（ステップＳ０８でＹＥＳ）、ステップＳ１０で、ファイル形式の設定を含むスキャンジョブをＭＦＰ２に送信する。
【００６１】
ＭＦＰ２はこのスキャンジョブを受信して、原稿の読み取りを実行し、設定されたファイル形式の読み取りデータを作成し、携帯端末装置１に送信する。
【００６２】
携帯端末装置１は、ステップＳ１１で、ＭＦＰ２からの読み取りデータの取得完了を待ち（ステップＳ１１でＮＯ）、取得が完了すれば（ステップＳ１１でＹＥＳ）、ステップＳ１２で、読み取りデータを表示部１５に表示可能なファイル形式かどうかを判断する。
【００６３】
表示可能なファイル形式であれば（ステップＳ１２でＹＥＳ）、ステップＳ１３で、読み取りデータを表示部１５のプレビュー表示エリア１５１に表示した後、ステップＳ１５に進む。表示可能なファイル形式でなければ（ステップＳ１２でＮＯ）、ステップＳ１４で、「ファイルの取得が完了しました」というメッセージ１７０またはファイルアイコン１８０を表示部１５のプレビュー表示エリア１５１に表示した後、ステップＳ１５に進む。
【００６４】
ステップＳ１５では、保存ボタン１５７が押下されたかどうかを判断し、押下されると（ステップＳ１５でＹＥＳ）、ステップＳ１６で、読み取りデータのファイル形式は第１のファイル形式と異なるかどうかを判断する。異なる場合（ステップＳ１６でＹＥＳ）、第２のファイル形式に変更されているから、ステップＳ１７で、読み取りデータを第１のファイル形式に変換して記憶部１４に保存する。第１のファイル形式と同じ場合（ステップＳ１６でＮＯ）、そのままのファイル形式で記憶部１４に保存する。
【００６５】
ステップＳ１５で、保存ボタン１５７が押下されなければ（ステップＳ１５でＮＯ）、ステップＳ１９で、削除ボタン１５８が押下されたかどうかを判断し、押下されなければ（ステップＳ１９でＮＯ）、ステップＳ１５に戻る。削除ボタン１５８が押下されると（ステップＳ１９でＹＥＳ）、ステップＳ２０で、取得した読み取りデータを削除し、処理を終了する。
【００６６】
以上、本発明の一実施形態を説明したが、本発明は上記実施形態に限定されることはない。例えば、ファイル形式がＪＰＥＧ、ノーマルＰＤＦ、コンパクトＰＤＦ、暗号化ＰＤＦ、サーチャブルＰＤＦの場合を例示したが、これら以外のファイル形式、例えばＪＰＥＧと同様に読み取りデータの表示部１５への表示が可能でノーマルＰＤＦへの変換も可能なＰＮＧ（Portable Network Graphics）等が含まれる場合も、本発明を同様に適用することができる。
【符号の説明】
【００６７】
１      携帯端末装置
２      画像処理装置
１１    ＣＰＵ
１２    ＲＯＭ
１３    ＲＡＭ
１４    記憶部
１５    表示部
１６    タッチパネル
【図１】
0005842883.tif 000002
【図２】
0005842883.tif 000003
【図３】
0005842883.tif 000004
【図４】
0005842883.tif 000005
【図５】
0005842883.tif 000006
【図６】
0005842883.tif 000007
【図７】
0005842883.tif 000008
【図８】
0005842883.tif 000009
【図９】
0005842883.tif 000010
【図１０】
0005842883.tif 000011